(57)【要約】【課題】盗難の抑止効果の高い非接触充電電動工具システムを提供すること。【解決手段】給電装置１に設けられ、識別コードを記憶する給電側識別メモリ１７と、電動工具２に設けられ、識別コードを記憶する工具側識別メモリ２６と、給電装置１に設けられる一次側通信回路１６と、電動工具２に設けられ、一次側通信回路１６との情報通信を行う二次側通信・制御回路２５と、電動工具２に設けられ、認証情報を記憶する認証メモリ２７と、電動工具２に設けられ、給電側識別メモリ１７に記憶された識別コードと工具側識別メモリ２６に記憶された識別コードとが一致するか否かを判定し、入力された認証情報が認証メモリ２７に記憶された認証情報と一致するか否かを判定する識別・認証判定部３０と、識別・認証判定部３０で共に一致すると判定されたときのみ給電を許可する給電許可回路（充電制御回路３１等）とを備える。【選択図】図１
2014223687.tif 000002
【特許請求の範囲】
【請求項１】
給電装置から電動工具に非接触で充電可能な非接触充電電動工具システムであって、
前記給電装置に設けられ、識別コードを記憶する給電側識別メモリと、
前記電動工具に設けられ、識別コードを記憶する工具側識別メモリと、
前記給電装置に設けられる一次側通信回路と、
前記電動工具に設けられ、前記一次側通信回路との情報通信を行う二次側通信回路と、
前記給電装置及び前記電動工具の少なくとも一方に設けられ、前記給電側識別メモリに記憶された識別コードと前記工具側識別メモリに記憶された識別コードとが一致するか否かを判定する識別判定部と、
前記給電装置及び前記電動工具の少なくとも一方に設けられ、認証情報を記憶する認証メモリと、
前記給電装置及び前記電動工具の少なくとも一方に設けられ、入力された認証情報が前記認証メモリに記憶された認証情報と一致するか否かを判定する認証判定部と、
前記識別判定部及び前記認証判定部で共に一致すると判定されたときのみ給電を許可する給電許可回路とを備えたことを特徴とする非接触充電電動工具システム。
【請求項２】
請求項１に記載の非接触充電電動工具システムにおいて、
前記認証メモリに記憶させる認証情報を任意に設定可能としたことを特徴とする非接触充電電動工具システム。
【請求項３】
請求項１又は２に記載の非接触充電電動工具システムにおいて、
前記認証情報を入力するための認証入力手段が前記電動工具に備えられたことを特徴とする非接触充電電動工具システム。
【請求項４】
請求項３に記載の非接触充電電動工具システムにおいて、
前記認証メモリ及び前記認証判定部が前記電動工具に備えられたことを特徴とする非接触充電電動工具システム。
【請求項５】
請求項３に記載の非接触充電電動工具システムにおいて、
前記認証メモリ及び前記認証判定部が前記給電装置に備えられたことを特徴とする非接触充電電動工具システム。
【請求項６】
請求項１又は２に記載の非接触充電電動工具システムにおいて、
前記認証情報を入力するための認証入力手段が前記給電装置に備えられ、
前記認証メモリ及び前記認証判定部が前記電動工具に備えられたことを特徴とする非接触充電電動工具システム。
【請求項７】
請求項１又は２に記載の非接触充電電動工具システムにおいて、
前記認証情報を入力するための認証入力手段、前記認証メモリ及び前記認証判定部が前記給電装置に備えられたことを特徴とする非接触充電電動工具システム。
【請求項８】
請求項３乃至７のいずれか１項に記載の非接触充電電動工具システムにおいて、
前記認証入力手段は、テンキーを含むことを特徴とする非接触充電電動工具システム。
【請求項９】
請求項３乃至８のいずれか１項に記載の非接触充電電動工具システムにおいて、
前記認証入力手段は、生体認証センサを含むことを特徴とする非接触充電電動工具システム。
【請求項１０】
請求項１乃至９のいずれか１項に記載の非接触充電電動工具システムにおいて、
前記電動工具は、
通常モードとセキュリティモードの切替を行うセキュリティモード設定部と、
外部状態を検出する外部センサと、
前記セキュリティモードで前記外部センサにて検出された外部状態に基づいて異常であるか否かを判定する異常判定部と、
前記異常判定部にて異常であると判定されると異常状態を報知する異常状態報知部と
を備えたことを特徴とする非接触充電電動工具システム。
【請求項１１】
請求項１０に記載の非接触充電電動工具システムにおいて、
前記セキュリティモード設定部は、前記電動工具の使用後、予め設定された時間が経過すると前記セキュリティモードに切替えることを特徴とする非接触充電電動工具システム。
【請求項１２】
請求項１０又は１１に記載の非接触充電電動工具システムにおいて、
前記異常状態報知部は、外部通信手段を含むことを特徴とする非接触充電電動工具システム。
【請求項１３】
請求項１２に記載の非接触充電電動工具システムにおいて、
前記電動工具は、ＧＰＳ情報を受信可能なＧＰＳ受信手段を備え、
前記外部通信手段が報知する情報は、前記ＧＰＳ受信手段にて受信された前記ＧＰＳ情報を含むことを特徴とする非接触充電電動工具システム。
【請求項１４】
請求項１乃至１３のいずれか１項に記載の非接触充電電動工具システムにおいて、
前記給電装置は、前記給電側識別メモリに記憶させる前記識別コードを任意に設定可能な識別入力手段を備えることを特徴とする非接触充電電動工具システム。
【請求項１５】
請求項１４に記載の非接触充電電動工具システムにおいて、
前記識別入力手段は、テンキーを含むことを特徴とする非接触充電電動工具システム。
【発明の詳細な説明】
【技術分野】
【０００１】
本発明は、非接触充電電動工具システムに関するものである。
【背景技術】
【０００２】
従来、給電装置から電動工具に非接触で充電可能な非接触充電電動工具システムが知られている（例えば、特許文献１参照）。
又、電動工具としては、メンテナンスが必要な状態となるとその旨の報知を行い、その後に特定のメンテナンスが行われて次期メンテナンスに関する情報の書き換え等が行われないと使用不能となるものがある（例えば、特許文献２参照）。
【０００３】
このような電動工具では、例え電動工具が盗難されても後に使用不能となるため、盗難抑制の機能を備えていることになる。
【先行技術文献】
【特許文献】
【０００４】
【特許文献１】特開平９−３２２４１６号公報
【特許文献２】特許第３７１７７６２号公報
【発明の概要】
【発明が解決しようとする課題】
【０００５】
しかしながら、上記のような電動工具では、メンテナンスが必要な状態となるまでにかなりの時間があり、使用不能となるまでの期間が長いことが想定されることから、盗難の抑止効果はあまり期待できない。
【０００６】
本発明は上記問題点を解消するためになされたものであって、その目的は、盗難の抑止効果の高い非接触充電電動工具システムを提供することにある。
【課題を解決するための手段】
【０００７】
上記課題を解決する非接触充電電動工具システムは、給電装置から電動工具に非接触で充電可能な非接触充電電動工具システムであって、前記給電装置に設けられ、識別コードを記憶する給電側識別メモリと、前記電動工具に設けられ、識別コードを記憶する工具側識別メモリと、前記給電装置に設けられる一次側通信回路と、前記電動工具に設けられ、前記一次側通信回路との情報通信を行う二次側通信回路と、前記給電装置及び前記電動工具の少なくとも一方に設けられ、前記給電側識別メモリに記憶された識別コードと前記工具側識別メモリに記憶された識別コードとが一致するか否かを判定する識別判定部と、前記給電装置及び前記電動工具の少なくとも一方に設けられ、認証情報を記憶する認証メモリと、前記給電装置及び前記電動工具の少なくとも一方に設けられ、入力された認証情報が前記認証メモリに記憶された認証情報と一致するか否かを判定する認証判定部と、前記識別判定部及び前記認証判定部で共に一致すると判定されたときのみ給電を許可する給電許可回路とを備える。
【０００８】
上記非接触充電電動工具システムにおいて、前記認証メモリに記憶させる認証情報を任意に設定可能とすることが好ましい。
上記非接触充電電動工具システムにおいて、前記認証情報を入力するための認証入力手段が前記電動工具に備えられることが好ましい。
【０００９】
上記非接触充電電動工具システムにおいて、前記認証メモリ及び前記認証判定部が前記電動工具に備えられることが好ましい。
上記非接触充電電動工具システムにおいて、前記認証メモリ及び前記認証判定部が前記給電装置に備えられることが好ましい。
【００１０】
上記非接触充電電動工具システムにおいて、前記認証情報を入力するための認証入力手段が前記給電装置に備えられ、前記認証メモリ及び前記認証判定部が前記電動工具に備えられることが好ましい。
【００１１】
上記非接触充電電動工具システムにおいて、前記認証情報を入力するための認証入力手段、前記認証メモリ及び前記認証判定部が前記給電装置に備えられることが好ましい。
上記非接触充電電動工具システムにおいて、前記認証入力手段は、テンキーを含むことが好ましい。
【００１２】
上記非接触充電電動工具システムにおいて、前記認証入力手段は、生体認証センサを含むことが好ましい。
上記非接触充電電動工具システムにおいて、前記電動工具は、通常モードとセキュリティモードの切替を行うセキュリティモード設定部と、外部状態を検出する外部センサと、前記セキュリティモードで前記外部センサにて検出された外部状態に基づいて異常であるか否かを判定する異常判定部と、前記異常判定部にて異常であると判定されると異常状態を報知する異常状態報知部とを備えることが好ましい。
【００１３】
上記非接触充電電動工具システムにおいて、前記セキュリティモード設定部は、前記電動工具の使用後、予め設定された時間が経過すると前記セキュリティモードに切替えることが好ましい。
【００１４】
上記非接触充電電動工具システムにおいて、前記異常状態報知部は、外部通信手段を含むことが好ましい。
上記非接触充電電動工具システムにおいて、前記電動工具は、ＧＰＳ情報を受信可能なＧＰＳ受信手段を備え、前記外部通信手段が報知する情報は、前記ＧＰＳ受信手段にて受信された前記ＧＰＳ情報を含むことが好ましい。
【００１５】
上記非接触充電電動工具システムにおいて、前記給電装置は、前記給電側識別メモリに記憶させる前記識別コードを任意に設定可能な識別入力手段を備えることが好ましい。
上記非接触充電電動工具システムにおいて、前記識別入力手段は、テンキーを含むことが好ましい。
【発明の効果】
【００１６】
本発明の非接触充電電動工具システムによれば、盗難の抑止効果を高くすることができる。
【図面の簡単な説明】
【００１７】
【図１】一実施形態の非接触充電電動工具システムの電気ブロック回路図。
【図２】別例の非接触充電電動工具システムの電気ブロック回路図。
【図３】別例の非接触充電電動工具システムの電気ブロック回路図。
【図４】別例の非接触充電電動工具システムの電気ブロック回路図。
【図５】別例の非接触充電電動工具システムの電気ブロック回路図。
【図６】別例の非接触充電電動工具システムの電気ブロック回路図。
【発明を実施するための形態】
【００１８】
以下、非接触充電電動工具システムの一実施形態を図１に従って説明する。
図１に示すように、非接触充電電動工具システムは、給電装置１と電動工具２とを備えている。
【００１９】
給電装置１は、電源コンセント等から外部電源が供給される。電動工具２は、電動ドライバーや電動ドリル等の工具であって、図示しない操作スイッチの操作により対象物に作用を及ぼすプラスドライバーやドリル等の作動部が電動駆動するものである。
【００２０】
給電装置１は、電源回路１１と、給電回路１２と、制御回路１３と、送電コイル１４と、物体判別回路１５と、一次側通信回路１６と、給電側識別メモリ１７と、識別入力手段としてのテンキー１８とを備えている。
【００２１】
電源回路１１は、整流回路及びＤＣ／ＤＣコンバータを有し、外部電源を整流回路にて整流し、その整流した直流電圧をＤＣ／ＤＣコンバータにて所望の電圧に変換して、該電圧を給電回路１２及び制御回路１３に供給する。
【００２２】
給電回路１２は、ハーフブリッジ回路を有し、制御回路１３から入力されるスイッチング制御信号に基づいて給電用の高周波電流を生成する。制御回路１３は、マイコン等からなり、後述する条件に応じて前記スイッチング制御信号を給電回路１２に出力して該給電回路１２を制御する。
【００２３】
送電コイル１４は、給電回路１２から高周波電流が供給されると、交番磁界を発生する。
物体判別回路１５は、前記送電コイル１４と近接している物体を判別する。具体的には、本実施形態の物体判別回路１５は、給電回路１２と送電コイル１４とを接続する配線に接続されている。そして、物体判別回路１５は、送電コイル１４のインダクタンスであって、高周波電流の振幅の大きさに基づいて、送電コイル１４に電動工具２が適切に近接している、電動工具２との間に異物が介在している、電動工具２が近接していない、といった判別を行う。そして、物体判別回路１５は、その判別結果を前記制御回路１３に出力する。
【００２４】
一次側通信回路１６は、電動工具２側との情報通信を可能とする。具体的には、本実施形態の一次側通信回路１６は、給電回路１２と送電コイル１４とを接続する配線に接続され、該配線に信号を出力して（給電用の高周波電流よりも）振幅の大きなパルス（通信信号）を発生させて送信を行う。又、一次側通信回路１６は、送電コイル１４に発生した振幅の大きなパルスを通信信号として受信する。この一次側通信回路１６は、制御回路１３からの信号に基づいて情報（通信信号）を送信し、受信した情報を前記制御回路１３に出力する。
【００２５】
給電側識別メモリ１７は、識別コードを記憶可能なメモリであって、テンキー１８の操作によって識別コードが任意に設定可能とされている。尚、本実施形態の給電側識別メモリ１７は、複数の識別コードが記憶可能とされている。
【００２６】
電動工具２は、受電コイル２１と、受電回路２２と、前記二次電池２３と、モータ制御部２４と、電動アクチュエータとしてのモータＭと、二次側通信・制御回路２５とを備えている。又、電動工具２は、工具側識別メモリ２６と、認証メモリ２７と、テンキー２８と、指紋認証センサ２９と、識別判定部及び認証判定部としての識別・認証判定部３０と、充電制御回路３１とを備えている。尚、本実施形態では、二次側通信・制御回路２５が二次側通信回路を構成し、テンキー２８と指紋認証センサ２９とが共に認証入力手段を構成し、指紋認証センサ２９は更に生体認証センサを構成している。
【００２７】
受電コイル２１は、電動工具２が給電装置１の上に載置されて、高周波電流が供給された前記送電コイル１４と近接することによって電磁誘導にて誘導電流を発生する。
受電回路２２は、前記誘導電流を整流して直流電圧を生成し、該直流電圧を二次電池２３に供給する。二次電池２３は、前記受電回路２２からの直流電圧が供給されることで充電され、モータ制御部２４に電力を供給する。
【００２８】
モータ制御部２４は、前記操作スイッチの操作等に基づいて、二次電池２３からの電力によりモータＭに駆動電流を供給してモータＭを回転駆動する。このモータＭの出力軸は、前記作動部に駆動連結され、モータＭが回転駆動すると作動部が回転駆動される。
【００２９】
二次側通信・制御回路２５は、給電装置１側、詳しくは一次側通信回路１６との情報通信を可能とする。具体的には、本実施形態の二次側通信・制御回路２５は、受電コイル２１と受電回路２２とを接続する配線に接続され、該配線に信号を出力して振幅の大きなパルス（通信信号）を発生させて送信を行う。又、二次側通信・制御回路２５は、受電コイル２１に発生した振幅の大きなパルスを通信信号として受信する。
【００３０】
工具側識別メモリ２６は、識別コードを記憶可能なメモリであって、予め識別コードが設定されている。尚、前記給電装置１側の前記給電側識別メモリ１７には、テンキー１８によって工具側識別メモリ２６が記憶した識別コードと同じ識別コードが記憶されている。
【００３１】
認証メモリ２７は、認証情報を記憶可能なメモリであって、テンキー２８の操作によって数値認証情報が任意に設定可能とされるとともに、指紋認証センサ２９によって指紋認証情報が設定可能とされている。そして、認証メモリ２７には、テンキー２８と指紋認証センサ２９によって、使用者が決定した数値認証情報と使用者の指紋の情報である指紋認証情報とが記憶されている。
【００３２】
識別・認証判定部３０は、前記給電側識別メモリ１７に記憶された識別コードと前記工具側識別メモリ２６に記憶された識別コードとが一致するか否かを判定する。又、識別・認証判定部３０は、テンキー２８と指紋認証センサ２９によって入力された認証情報（数値認証情報及び指紋認証情報）が前記認証メモリ２７に記憶された認証情報と一致するか否かを判定する。
【００３３】
充電制御回路３１は、識別・認証判定部３０で識別コード及び認証情報がそれぞれ一致すると判定されると、給電を指示する旨の給電指示信号を二次側通信・制御回路２５、一次側通信回路１６を介して給電装置１の制御回路１３に出力する。
【００３４】
そして、給電装置１の制御回路１３は、物体判別回路１５にて電動工具２が適切に近接していると判別された状態で前記給電指示信号が入力されると、給電回路１２に前記スイッチング制御信号を出力して、給電回路１２に前記給電用の高周波電流を生成させる。尚、本実施形態では、充電制御回路３１、二次側通信・制御回路２５、一次側通信回路１６、及び制御回路１３が、前述したように識別コード及び認証情報がそれぞれ一致すると判定されたときのみ給電を許可する給電許可回路を構成している。
【００３５】
次に、上記のように構成された非接触充電電動工具システムの作用について説明する。
まず電動工具２が給電装置１上に載置され、物体判別回路１５にて電動工具２が適切に近接していると判別されると、一次側通信回路１６と二次側通信・制御回路２５とを介して情報通信が行われる。そして、識別・認証判定部３０にて、給電側識別メモリ１７に記憶された識別コードと工具側識別メモリ２６に記憶された識別コードとが一致するか否かが判定される。又、識別・認証判定部３０にて、テンキー２８と指紋認証センサ２９によって入力された認証情報（数値認証情報及び指紋認証情報）が認証メモリ２７に記憶された認証情報と一致するか否かが判定される。そして、識別コード及び認証情報がそれぞれ一致すると判定されると、充電制御回路３１にて給電指示信号が二次側通信・制御回路２５、一次側通信回路１６を介して給電装置１の制御回路１３に出力され、給電回路１２にて給電用の高周波電流が生成される。
【００３６】
すると、高周波電流が供給された送電コイル１４にて交番磁界が発生され、その環境下にある受電コイル２１では電磁誘導にて誘導電流が発生される。すると、受電回路２２にて前記誘導電流が整流されて直流電圧が生成され、該直流電圧が二次電池２３に供給されて二次電池２３が充電される。
【００３７】
ここで、例えば、識別・認証判定部３０にて、前記識別コード及び前記認証情報の少なくとも一方が一致していないと判定されると、給電指示信号は出力されず、二次電池２３の充電は行われない。
【００３８】
次に、上記実施の形態の特徴的な効果を以下に記載する。
（１）給電側識別メモリ１７に記憶された識別コードと工具側識別メモリ２６に記憶された識別コードとが一致し、且つ入力された認証情報が認証メモリ２７に記憶された認証情報と一致した場合のみ給電が許可される。言い換えると、識別コード及び認証情報の少なくとも一方が一致していない場合、充電できない。よって、例えば、給電装置１及び電動工具２のいずれか一方、又は、非接触充電電動工具システム全体を盗難しても、充電できずにすぐに使えなくなることを連想させることができ、高い盗難抑止効果を得ることができる。
【００３９】
（２）認証メモリ２７に記憶させる認証情報が任意に設定可能とされるため、利便性や盗難抑止効果を高めることができる。具体的には、本実施形態では、認証入力手段として、テンキー２８を含むため、使用者しか知り得ず使用者が憶え易い数値認証情報を設定することができる。又、本実施形態では、認証入力手段として、生体認証センサである指紋認証センサ２９を含むため、使用者以外に認証させることが困難となり、盗難抑止効果を高めることができる。
【００４０】
（３）認証情報を入力するための認証入力手段、即ちテンキー２８及び指紋認証センサ２９が電動工具２に備えられるため、主に電動工具２の盗難抑止効果を高めることができる。
【００４１】
（４）テンキー２８及び指紋認証センサ２９に加え、認証メモリ２７及び認証判定部である識別・認証判定部３０が電動工具２に備えられるため、例えば、異なる給電装置１に識別コードを記憶させておくことで、異なる給電装置１でも充電が可能となる。又、例えば、充電以外の操作（例えば、操作スイッチによる電動工具２の操作等）についても入力された認証情報が認証メモリ２７に記憶された認証情報と一致した場合のみ有効となるようにすることができる。よって、電動工具２の盗難抑止効果を高めることができる。
【００４２】
（５）給電装置１は、給電側識別メモリ１７に記憶させる識別コードを任意に設定可能な識別入力手段（テンキー１８）を備えるため、例えば、単一の給電装置１に充電可能な電動工具２を追加するといったことが可能となる。又、本実施形態では、識別入力手段として、テンキー１８を含むため、識別コードの入力が容易となる。
【００４３】
上記実施形態は、以下のように変更してもよい。
・上記実施形態の電動工具２に、更に、盗難を防止又は抑止するための機能を追加してもよい。
【００４４】
例えば、図２に示すように、セキュリティモード設定部４１と、外部センサとしての振動センサ４２と、異常判定部４３と、異常状態報知部としての警告音発生部４４とを更に備えた電動工具２としてもよい。セキュリティモード設定部４１は、通常モードとセキュリティモードの切替を行うものであって、この例では、電動工具２の使用後（操作スイッチがオフされた後）、予め設定された時間（例えば１０分）が経過すると通常モードからセキュリティモードに切替える。そして、この例のセキュリティモード設定部４１は、入力された認証情報が認証メモリ２７に記憶された認証情報と一致した場合にセキュリティモードから通常モードに切替えて、操作スイッチの操作を有効とする。又、振動センサ４２は、セキュリティモードで外部状態の一つである異常な振動を検出するためのものであって、その検出した情報を異常判定部４３に出力する。異常判定部４３は、セキュリティモードで前記振動センサ４２にて検出された外部状態に基づいて異常であるか否かを判定する。警告音発生部４４は、異常判定部４３にて異常であると判定されると警告音を発生して異常状態を外部に報知する。
【００４５】
上記構成では、セキュリティモード設定部４１にてセキュリティモードとされ、振動センサ４２にて検出された外部状態に基づいて異常判定部４３にて異常であると判定されると警告音発生部４４にて警告音が発生されて異常状態が報知される。このようにすると、例えば、無人状態であるはずの車内で発生した振動等を振動センサ４２にて検出して、その異常状態を周囲に報知させることができる。よって、盗難防止効果を得ることができる。又、セキュリティモード設定部４１は、電動工具２の使用後、予め設定された時間が経過するとセキュリティモードに切替えるため、特に使用者が特定の操作で設定しなくても、盗難防止効果を得ることができる。
【００４６】
又、例えば、図３に示すように、異常状態報知部として、外部通信手段を構成する無線回路部４５及び通信アンテナ４６を更に備えた電動工具２としてもよい。この例では、異常判定部４３にて異常であると判定されると、警告音発生部４４にて警告音が発生されて異常状態が周囲に報知されるとともに、無線回路部４５及び通信アンテナ４６によって携帯電話等の外部の情報通信端末に異常状態が報知される。このようにすると、使用者は、例えば、携帯電話等の外部の情報通信端末にて、離れていても異常状態を容易に認識することができる。
【００４７】
又、図３に示すように、電動工具２は、更にＧＰＳ（位置）情報を受信可能なＧＰＳ受信手段を構成するＧＰＳ受信回路４７及びＧＰＳアンテナ４８を備え、無線回路部４５及び通信アンテナ４６が報知する情報は、前記ＧＰＳ情報を含むようにしてもよい。このようにすると、使用者は、例えば、携帯電話等の外部の情報通信端末にて、離れていても電動工具２のＧＰＳ情報、即ち位置を容易に認識することができる。
【００４８】
又、上記別例（図２及び図３参照）では、外部状態を検出する外部センサとして振動センサ４２を設けたが、異常な外部状態の変化を検出できれば、例えば、音センサ（マイク）等に変更してもよい。
【００４９】
又、異常状態報知部として光を発する発光部等を備えた構成としてもよい。
又、上記セキュリティモード設定部４１は、電動工具２の使用後、予め設定された時間が経過すると通常モードからセキュリティモードに切替えるとしたが、これに限定されず、例えば、切替スイッチ等により使用者が切替える構成としてもよい。
【００５０】
・上記実施形態では、認証入力手段（テンキー２８及び指紋認証センサ２９）、認証メモリ２７、識別判定部及び認証判定部を構成する識別・認証判定部３０が電動工具２に備えられるとしたが、これらの少なくとも１つを給電装置１に備えた構成としてもよい。
【００５１】
例えば、図４に示すように、認証入力手段としての指紋認証センサ５１、認証メモリ５２、識別判定部及び認証判定部を構成する識別・認証判定部５３、及び充電制御回路５４を備えた給電装置１に変更してもよい。この例では、まず電動工具２が給電装置１上に載置され、物体判別回路１５にて電動工具２が適切に近接していると判別されると、一次側通信回路１６と二次側通信・制御回路２５とを介して情報通信が行われる。そして、識別・認証判定部５３にて、給電側識別メモリ１７に記憶された識別コードと工具側識別メモリ２６に記憶された識別コードとが一致するか否かが判定される。又、識別・認証判定部５３にて、指紋認証センサ５１によって入力された認証情報（指紋認証情報）が認証メモリ５２に記憶された認証情報と一致するか否かが判定される。そして、識別コード及び認証情報がそれぞれ一致すると判定されると、充電制御回路５４にて給電指示信号が制御回路１３に出力され、給電回路１２にて給電用の高周波電流が生成される。
【００５２】
このように、指紋認証センサ５１、認証メモリ５２及び識別・認証判定部５３（認証判定部）が給電装置１に備えられると、主に給電装置１の盗難抑止効果を得ることができる。
【００５３】
又、例えば、図５に示すように、認証入力手段としての指紋認証センサ６１を備えた電動工具２としつつ、認証メモリ６２、識別判定部及び認証判定部を構成する識別・認証判定部６３、及び充電制御回路６４を備えた給電装置１に変更してもよい。この例では、電動工具２側の指紋認証センサ６１で使用者の指紋認証情報を読みとりながらも、給電装置１側の識別・認証判定部６３で認証メモリ６２に記憶された指紋認証情報と一致するか否かが判定される。このようにすると、異なる給電装置１で充電するためには、該給電装置１に予め認証情報を記憶させておく必要があり、異なる給電装置１での充電がより困難となる。よって、給電装置１及び電動工具２のいずれか一方だけが盗難される際の盗難抑止効果を高めることができる。
【００５４】
又、例えば、図６に示すように、認証入力手段としての指紋認証センサ７１を備えた給電装置１としつつ、認証メモリ７２、識別判定部及び認証判定部を構成する識別・認証判定部７３、及び充電制御回路７４を備えた電動工具２に変更してもよい。この例では、給電装置１側の指紋認証センサ７１で使用者の指紋認証情報を読みとりながらも、電動工具２側の識別・認証判定部７３で認証メモリ７２に記憶された指紋認証情報と一致するか否かが判定される。このようにすると、異なる電動工具２を充電するためには、該電動工具２に予め認証情報を記憶させておく必要があり、異なる電動工具２の充電がより困難となる。よって、給電装置１及び電動工具２のいずれか一方だけが盗難される際の盗難抑止効果を高めることができる。
【００５５】
又、上記実施形態及び別例では、識別・認証判定部３０，５３，６３，７３を給電装置１又は電動工具２に設けたが、識別コードの判定を行う識別判定部と認証情報の判定を行う認証判定部とを給電装置１と電動工具２とに分けて設けてもよい。又、識別コードの判定を行う識別判定部を給電装置１及び電動工具２の両方に設けてもよいし、認証情報の判定を行う認証判定部を給電装置１及び電動工具２の両方に設けてもよい。
【００５６】
・上記実施形態では、認証メモリ２７（５２，６２，７２）に記憶させる認証情報は、任意に設定可能とされるとしたが、前記数値認証情報等のパスワードのみとして予め設定（出荷前にプリセット）しておいてもよい。
【００５７】
・上記実施形態及び別例では、認証入力手段はテンキー２８や指紋認証センサ２９，５１，６１，７１としたが、他に、アルファベットを入力可能なキーとしてもよいし、認証判定部で声紋認証情報を判定すべく生体認証センサとしてのマイク等を設けてもよい。又、認証入力手段を給電装置１及び電動工具２に設けず、外部通信により、例えば、携帯電話等の外部の情報通信端末にて認証情報を入力する構成としてもよい。
【００５８】
・上記実施形態では、給電装置１は、給電側識別メモリ１７に記憶させる識別コードを任意に設定可能な識別入力手段（テンキー１８）を備えるとしたが、他に、アルファベットを入力可能なキーとしてもよいし、識別入力手段を備えていない構成としてもよい。識別入力手段を備えていない構成とすると、給電装置１と電動工具２とが互いに専用となるため、給電装置１及び電動工具２のいずれか一方だけが盗難される際の盗難抑止効果を高めることができる。
【００５９】
・上記実施形態では、一次側通信回路１６と二次側通信・制御回路２５との情報通信に送電コイル１４と受電コイル２１とを利用したが、これに限定されず、別途、通信用のコイル（アンテナ）を給電装置１と電動工具２とにそれぞれ設けて実施してもよい。
【００６０】
・上記実施形態では、給電装置１は、電源コンセント等から外部電源が供給されるものとしたが、これに限定されず、例えば、バッテリーパックから電源が供給されるものとしてもよい。このようにすると、例えば、電源コンセントの無い野外等でも電動工具２の充電が可能となる。
【００６１】
・上記実施形態では、給電回路１２は、ハーフブリッジ回路にて高周波電流を生成するものとしたが、同様に高周波電流を生成可能であれば他の構成に変更してもよく、例えば、フルブリッジ回路やトランジスタ一石にて高周波電流を生成するものとしてもよい。
【００６２】
・上記実施形態では、物体判別回路１５は、高周波電流の振幅の大きさに基づいて送電コイル１４と近接している物体の判別を行うとしたが、これに限定されず、例えば、電圧から同様の判別を行うものに変更してもよい。
【符号の説明】
【００６３】
１…給電装置、２…電動工具、１３…給電許可回路の一部を構成する制御回路、１６…給電許可回路の一部を構成する一次側通信回路、１７…給電側識別メモリ、１８…テンキー（識別入力手段）、２５…給電許可回路の一部を構成する二次側通信・制御回路（二次側通信回路）、２６…工具側識別メモリ、２７，５２，６２，７２…認証メモリ、２８…テンキー（認証入力手段）、２９，５１，６１，７１…指紋認証センサ（認証入力手段及び生体認証センサ）、３０，５３，６３，７３…識別・認証判定部（識別判定部及び認証判定部）、３１，５４，６４，７４…給電許可回路の一部を構成する充電制御回路、４１…セキュリティモード設定部、４２…振動センサ（外部センサ）、４３…異常判定部、４４…警告音発生部（異常状態報知部）、４５…異常状態報知部及び外部通信手段の一部を構成する無線回路部、４６…異常状態報知部及び外部通信手段の一部を構成する通信アンテナ、４７…ＧＰＳ受信手段の一部を構成するＧＰＳ受信回路、４８…ＧＰＳ受信手段の一部を構成するＧＰＳアンテナ。
【図１】
2014223687.tif 000003
【図２】
2014223687.tif 000004
【図３】
2014223687.tif 000005
【図４】
2014223687.tif 000006
【図５】
2014223687.tif 000007
【図６】
2014223687.tif 000008